(57)【要約】【課題】電線の保持力の大きな電線保持装置を提供することを目的とする。【解決手段】電線保持装置１はハウジング１０と、ハウジング１０の開口部１２６を開閉可能な押さえカバー２０を備え、押さえカバー２０を開口部１２６に閉止して、押さえカバー２０に立設された押圧片２４によって電線４０を屈曲させて保持孔１２７内に押し込み、押圧片２４と保持孔１２７との間で電線４０を保持する。保持孔１２７を形成する保持壁１２７ｂを傾斜させて、保持孔１２７に鋭角部１２７ｃを形成し、鋭角部１２７ｃを電線４０の屈曲部４２の根元内周側４３に食い込ませた。更に、鋭角部１２７ｃと対向する押圧片２４の側面２４ｂを傾斜させて、押圧片２４に鋭角部２４ｃを形成し、鋭角部２４ｃを電線４０の屈曲部４２の内周側４４に食い込ませた。【選択図】  図６
2005050599.tif 000002
【特許請求の範囲】
【請求項１】
端子に接続された電線を収容し、前記電線の軸方向に互いに対向する一対の保持壁が形成され、前記保持壁を露出させる開口部を含んだハウジングと、
前記開口部を開閉可能であって、前記開口部を閉止することにより前記電線を押圧して屈曲させ、前記一対の保持壁の間に押し込んで保持する押圧片が形成された押圧部材とを備えた電線保持装置において、
前記一対の保持壁の内、前記端子が配設される側と反対に位置する前記保持壁を傾斜させ、前記電線の屈曲部の根元内周側に食い込むように鋭角部を形成したことを特徴とする電線保持装置。
【請求項２】
前記鋭角部と対向する前記押圧片の側面を傾斜させ、前記電線の屈曲部の内周側に食い込むように前記押圧片に鋭角部を形成したことを特徴とする請求項１記載の電線保持装置。
【請求項３】
傾斜させた前記保持壁および前記押圧片の側面は、互いに平行であることを特徴とする請求項２記載の電線保持装置。
【請求項４】
前記ハウジングの前記押圧片と対向する位置に保持孔が形成され、前記保持孔の内、前記電線の軸方向に対向する壁面は前記保持壁であることを特徴とする請求項１乃至請求項３の内のいずれかに記載の電線保持装置。
【発明の詳細な説明】
【０００１】
【発明の属する技術分野】
本発明は、端子に接続された電線を保持する電線保持装置に関する。
【０００２】
【従来の技術】
従来技術として、ハウジングに係合するカバーに形成された突部で電線を押圧することによって、電線がハウジングの底板に形成した開口部に屈曲されて挿入され、突部と開口部で挟圧されることによってハウジングに保持される電線保持装置があった（例えば、特許文献１参照）。
【０００３】
【特許文献１】
特開平７−１１４９６６号公報（第３頁、第８図）
【０００４】
【発明が解決しようとする課題】
上述の構成は一般にストレインレリーフと呼ばれているもので、端子に接続された電線が端子と反対側に引っ張られた時に、電線をハウジングに保持して端子が引っ張られることを防いで、端子のハウジングからの外れ、あるいは電線の端子からの抜けを防いでいる。しかしながら、ストレインレリーフは電線を挟圧している突部および開口部に対する電線の摩擦力によって、電線をハウジングに保持しているため、電線に過大な引っ張り力が作用した場合、電線が開口部および突部に対して滑りだし、電線のハウジングに対する保持が維持されないことがあった。
【０００５】
本発明は上述のような事情に基づいて完成されたものであって、電線の保持力の大きな電線保持装置を提供することを目的とする。
【０００６】
【課題を解決するための手段】
上述の目的を達成するための手段として、請求項１の発明は、端子に接続された電線を収容し、前記電線の軸方向に互いに対向する一対の保持壁が形成され、前記保持壁を露出させる開口部を含んだハウジングと、前記開口部を開閉可能であって、前記開口部を閉止することにより前記電線を押圧して屈曲させ、前記一対の保持壁の間に押し込んで保持する押圧片が形成された押圧部材とを備えた電線保持装置において、前記一対の保持壁の内、前記端子が配設される側と反対に位置する前記保持壁を傾斜させ、前記電線の屈曲部の根元内周側に食い込むように鋭角部を形成したことを特徴とする電線保持装置とした。
【０００７】
請求項２の発明は、前記鋭角部と対向する前記押圧片の側面を傾斜させ、前記電線の屈曲部の内周側に食い込むように前記押圧片に鋭角部を形成したことを特徴とする請求項１記載の電線保持装置とした。
【０００８】
請求項３の発明は、傾斜させた前記保持壁および前記押圧片の側面は、互いに平行であることを特徴とする請求項２記載の電線保持装置とした。
【０００９】
請求項４の発明は、前記ハウジングの前記押圧片と対向する位置に保持孔が形成され、前記保持孔の内、前記電線の軸方向に対向する壁面は前記保持壁であることを特徴とする請求項１乃至請求項３の内のいずれかに記載の電線保持装置とした。
【００１０】
【発明の作用及び効果】
＜請求項１の発明＞
端子が配設される側と反対に位置する保持壁を傾斜させ、電線の屈曲部の根元内周側に食い込むように鋭角部を形成したことにより、電線が端子と反対側に引っ張られても鋭角部が電線に食い込んで、電線が保持壁に対して滑りだすことを防ぎ、電線に対する保持力を増大させることができる。
【００１１】
＜請求項２の発明＞
ハウジングに形成した鋭角部と対向する押圧片の側面を傾斜させ、電線の屈曲部の内周側に食い込むように押圧片に鋭角部を形成したことにより、電線が端子と反対側に引っ張られると、押圧片の鋭角部も電線に食い込んで、電線が押圧片に対して滑りだすことを防ぎ、電線に対する保持力を更に増大させることができる。
【００１２】
＜請求項３の発明＞
傾斜させた保持壁および押圧片の側面が互いに平行であることにより、保持壁および押圧片の側面で屈曲された電線を強固に挟持することができ、電線に対する保持力をいっそう増大させることができる。
【００１３】
＜請求項４の発明＞
ハウジングの押圧片と対向する位置に保持孔が形成され、保持孔の内、電線の軸方向に対向する壁面を保持壁にしたことにより、屈曲された電線が横方向に多少ずれても保持孔を構成する他の壁面によって横方向にも保持され、電線に対する保持力を更に増大させることができる。
【００１４】
【発明の実施の形態】
以下、本発明の実施形態を添付図面に基づいて説明する。説明中において、特に断らなければ図２、図４および図６における右方を前方と呼ぶ。図１において、電線保持装置１は合成樹脂材料によって一体に形成されている。電線保持装置１を構成するハウジング１０の前方部には、内部に図示しない相手側コネクタが嵌合する凹部１１１を備えたフード部１１０が形成され、その後方部には電線収容部１２０が連結されている。フード部１１０の上面には、図示しない車輌側のブラケットに電線保持装置１を取付ける時に、ブラケットが収容されるブラケットガイド１１２と、ブラケットに形成されたロック孔と係合するロック突部１１３とが形成されている。
【００１５】
図２および図４に示すように、凹部１１１内には相手側コネクタと係合して、相手側コネクタの抜け止めの機能を果たす抜止部１１４が形成されている。また、フード部１１０の後端部には端子３０の基部３１が装着される端子装着孔１１５が形成され、更に、その前方には端子３０のタブ部３２が突出するタブ孔１１６が形成されている。また、端子装着孔１１５の下面には端子３０の抜け止め用のランス１１７が形成されている。図２および図４に示すように、端子装着孔１１５の後方には、端子３０のかしめ部３３がかしめられた電線４０が挿入される電線収容孔１２１が、端子装着孔１１５と連通するように形成されている。
【００１６】
また、電線収容部１２０の側面には、可撓性のヒンジ１３１を介してリテーナ１３０が連結されている。リテーナ１３０はヒンジ１３１に連結された平板部１３２と平板部１３２の端部に立延した側面１３３によって一体に形成されている。リテーナ１３０の平板部１３２には、ヒンジ１３１に隣接して係合片１３４が立設されており、側面１３３にはリテーナ突部１３５が突出している。一方、電線収容部１２０の上面には、ヒンジ３１を撓ませてリテーナ１３０を図１において上方に回動させて装着するリテーナ凹部１２２が形成されている。
【００１７】
また、電線収容部１２０の一側の側面には係合突部１２３が突出しており、更に、他側の側面には所定の深さでハウジング１０の縁部を前後方向に延びるポケット部１２４が形成されている。また、端子装着孔１１５の上方にはリテーナ凹部１２２を貫通するように４個のリテーナ孔１２５が並設されている。一方、リテーナ１３０の平板部１３２にはリテーナ孔１２５と対応するように、４個の抜止片１３６が突設されている。
【００１８】
ヒンジ１３１を撓ませ、リテーナ１３０を図１において上方に回動してリテーナ凹部１２２に装着する時に、係合片１３４を係合突部１２３と係合させるとともに、側面１３３をポケット部１２４内に挿入して、リテーナ突部１３５をポケット部１２４内に形成された図示しない係合孔に係合させることによってリテーナ１３０をリテーナ凹部１２２に装着する。リテーナ１３０をリテーナ凹部１２２に装着することによって、各々の抜止片１３６がリテーナ孔１２５内に挿入されて端子３０と係合し、その抜止めとして機能する（図４示）。
【００１９】
尚、リテーナ１３０の側面１３３にはチェック溝１３７ａが形成されたチェック板１３７が前方に延在している。リテーナ１３０をリテーナ凹部１２２に装着することによって、チェック板１３７がポケット部１２４の前方部内に挿入された後、相手側コネクタがフード部１１０に挿入されてチェック溝１３７ａに嵌合することによって、リテーナ１３０が電線収容部１２０に正確に装着されていることを検出する。
【００２０】
電線収容部１２０の後方部側面には、押さえカバー２０が可撓性のヒンジ２１を介して連結されている。押さえカバー２０は本発明の押圧部材に該当し、幅方向に延びた本体部２２と本体部２２に一体に形成された係合板２３によって構成されている。係合板２３は本体部２２の端部に立設され、押さえカバー２０は全体として略Ｌ字に形成されている。また、係合板２３には矩形状の係合孔２３ａが形成されている。図３に示すように、押さえカバー２０には下方に向けて４個の押圧片２４が一体に並設されており、押圧片２４の先端部には電線４０を押圧するために電線４０の外径に対応させて曲面２４ａが形成されている。更に、押さえカバー２０には、ヒンジ２１に隣接するようにカバー係合片２５（図３示）が形成されている。
【００２１】
一方、電線収容部１２０の後端部には、押さえカバー２０によって開閉可能な開口部１２６（図２示）が形成されている。また、電線収容部１２０の後方上面には、押さえカバー２０がヒンジ２１を撓ませて、図１において下方に回動されて、開口部１２６を閉止した時に押圧片２４と対向する位置に形成され、押圧片２４が電線４０を押圧して押し込む４個の矩形状（４つの壁面を備えた）の保持孔１２７が並設されている。電線収容部１２０のヒンジ２１が形成された側の側面の後方部には、カバー係合片２５と係合するカバー突部１２８が設けられており、他側の側面には係合板２３の係合孔２３ａと係合する係合突起１２９（いずれも図５示）が形成されている。
【００２２】
図６に示すように、電線保持部１２０に形成された保持孔１２７の、電線４０の軸方向（電線保持装置１の長さ方向）に互いに対向する壁面である一対の保持壁１２７ａ、１２７ｂの内、端子３０が配設される側と反対に位置する保持壁１２７ｂは、図において上方に行くにつれ左方に傾斜しており、その結果、保持孔１２７の端部に鋭角部１２７ｃが形成されている。
【００２３】
一方、押圧片２４の電線４０の軸方向に互いに対向する側面２４ａ、２４ｂの内、押さえカバー２０が開口部１２６を閉止した時に、上述したように電線保持部１２０に形成された鋭角部１２７ｃと対向する側面２４ｂを、図において保持壁１２７ｂと同方向に同角度だけ傾斜させ、押さえカバー２０にも鋭角部２４ｃが形成されている。従って、鋭角部１２７ｃと鋭角部２４ｃとは同じ角度を有し、押さえカバー２０が開口部１２６を閉止した状態で、保持壁１２７ｂと側面２４ｂとは互いに平行となる。
【００２４】
次に、本実施形態による電線保持装置１への電線４０の保持方法について説明する。電線４０にかしめ部３３がかしめられことによって電線４０に接続された端子３０を、ハウジング１０の後方から進入させ、図４に示すように端子３０のタブ部３２がタブ孔１１６から突出するように端子３０を端子収容孔１１５内に挿入する。これによって、ランス１１７が端子３０の基部３１と係合し、端子３０に接続された電線４０は電線収容孔１２１内に載置される。
【００２５】
その後、ヒンジ１３１を撓ませてリテーナ１３０を回動させて電線収容部１２０の上方からリテーナ凹部１２２に装着する。リテーナ１３０をリテーナ凹部１２２に装着することによって、リテーナ１３０の平板部１３２に形成された４個の抜止片１３６の各々が、リテーナ孔１２５内に挿入されて端子３０と係合し、端子３０の抜止めが行われる。
【００２６】
次に、ヒンジ２１を撓ませて、押さえカバー２０を電線収容部１２０の下方に回動させ、保持壁１２７ａ、１２７ｂを露出していた開口部１２６を閉止する。押さえカバー２０の押圧片２４は、図４乃至図６に示すように下方から電線４０を押圧して、電線４０を屈曲させながら保持孔１２７内に押し込む。押圧片２４によって下方から押圧された電線４０には、電線基部４１から突出した屈曲部４２が形成され、屈曲部４２は押圧片２４と保持壁１２７ａ、１２７ｂとの間で挟持されて保持孔１２７内に保持される。
【００２７】
この時、押さえカバー２０は、押さえカバー２０のカバー係合片２５と電線収容部１２０のカバー突部１２８との係合、および係合板２３の係合孔２３ａと電線収容部１２０の係合突起１２９との係合によって、電線４０から反力を受けても復帰しないように開口部１２６に保持されており、係合孔２３ａと係合突起１２９との係合によって、保持孔１２７に対する押圧片２４の姿勢（保持壁１２７ｂと側面２４ｂとが互いに平行である）が決定される。
【００２８】
ここで、図６において保持孔１２７には保持壁１２７ｂを傾斜させることによって鋭角部１２７ｃが形成されているため、鋭角部１２７ｃが電線４０の屈曲部４２の根元内周側４３に食い込む。また、押圧片２４にも側面２４ｂを傾斜させることによって鋭角部２４ｃが形成されているため、鋭角部２４ｃも電線４０の屈曲部４２の内周側４４に食い込む。
【００２９】
上述の実施形態によれば、保持孔１２７に形成された鋭角部１２７ｃが電線４０の屈曲部４２の根元内周側４３に食い込むため、電線４０が端子３０と反対側に引っ張られても、電線４０が保持孔１２７に強固に保持される。また、押圧片２４にも鋭角部２４ｃが形成されているため、鋭角部２４ｃが電線４０の屈曲部４２の内周側４４に食い込んで、電線４０が上述したのと同様に引っ張られても、電線４０が押圧片２４に更に強固に保持される。
【００３０】
更に、押さえカバー２０が開口部１２６を閉止した状態で、保持壁１２７ｂと押圧片２４の側面２４ｂとは互いに平行となるため、保持壁１２７ｂおよび側面２４ｂで屈曲された電線４０を強固に挟持することができ、電線４０に対する保持力をいっそう増大させることができる。また、電線収容部１２０の押圧片２４と対向する位置に保持孔１２７が形成され、保持孔１２７の内、電線４０の軸方向に対向する壁面を保持壁１２７ａ、１２７ｂにしたことにより、屈曲された電線４０が横方向に多少ずれても保持孔１２７を構成する保持壁１２７ａ、１２７ｂと垂直の位置関係にある他の壁面（符号なし）によって横方向にも保持され、電線４０に対する保持力を更に増大させることができる。
【００３１】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）上述した押圧片に形成した鋭角部に加え、更に、電線の端子側に位置する内周側に食い込む鋭角部を押圧片に形成してもよい。
（２）保持孔あるいは押圧片に形成された鋭角部は、特定の角度に限定されるものではなく、電線の屈曲部の根元内周側あるいは屈曲部の内周側に食い込み可能であれば任意の角度が適用できる。
（３）本発明は、電源線あるいは同軸ケーブル等の信号線など、あらゆる種類の電線を保持する電線保持装置に適用可能である。
【図面の簡単な説明】
【図１】本発明による電線保持装置の斜視図である。
【図２】図１に示した電線保持装置の電線を保持する前の断面図である。
【図３】図２の右側面図である。
【図４】図１に示した電線保持装置の電線を保持した後の断面図である。
【図５】図４のＡ−Ａ断面図である。
【図６】図４の要部拡大図である。
【符号の説明】
１…電線保持装置
１０…ハウジング
２０…押さえカバー
２４…押圧片
２４ａ、２４ｂ…側面
２４ｃ、１２７ｃ…鋭角部
３０…端子
４０…電線
４２…屈曲部
４３…屈曲部の根元内周側
４４…屈曲部の内周側
１２６…開口部
１２７…保持孔
１２７ａ、１２７ｂ…保持壁
【図１】
2005050599.tif 000003
【図２】
2005050599.tif 000004
【図３】
2005050599.tif 000005
【図４】
2005050599.tif 000006
【図５】
2005050599.tif 000007
【図６】
2005050599.tif 000008